【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
患者の体内の解剖学的部位へインプラントを移送するためのアセンブリであって：
外被を含み、該外被は少なくとも第１スリーブと第２スリーブとを有し、該スリーブは該インプラントの少なくとも一部を内包する様に構成され、該第１スリーブおよび第２スリーブの一方は該インプラントと重なる舌部を含む、アセンブリ。
【請求項２】
前記第１および第２スリーブの少なくとも一方は少なくとも２種の材料の複合体を含む、請求項１に記載のアセンブリ。
【請求項３】
前記第１および第２スリーブのそれぞれが実質的に同じ長さである、請求項１に記載のアセンブリ。
【請求項４】
前記第１および第２スリーブのそれぞれが少なくとも１個所の蝶番部分を有する、請求項１に記載のアセンブリ。
【請求項５】
前記第１スリーブの蝶番部分が前記第２スリーブの蝶番部分と連結して蝶番を形成する、請求項４に記載のアセンブリ。
【請求項６】
前記インプラントが女性の尿失禁を治療するための吊り具を含む、請求項１に記載のアセンブリ。
【請求項７】
前記外被が前記インプラントの実質的に全てを内包する、請求項１に記載のアセンブリ。
【請求項８】
インプラントを患者の体内の解剖学的部位に移送するためのシステムであって：
該システムは、外被を備え、該外被は少なくとも第１スリーブと第２スリーブとを含み、該スリーブは該インプラントの少なくとも一部を内包する形状であり、該第１スリーブと第２スリーブの一方は舌部を有し、該舌部は該インプラントと重なり、該外被は、該インプラントを該解剖学的部位に設置する際に、該外被が患者の体から引き抜かれ得るように構成されている、
システム。
【請求項９】
各スリーブがさらに蝶番部分を有し、一方のスリーブの該蝶番部分は他方のスリーブの該蝶番部分に連結する、請求項８に記載のシステム。
【請求項１０】
前記外被が、前記蝶番部分を切断し、そして前記第１スリーブを前記第２スリーブから分離することにより、該スリーブが患者の体から引き抜かれることを可能にするように構成されている、請求項９に記載のシステム。
【請求項１１】
インプラントを患者の体内の解剖学的部位に移送するための、アセンブリであって：
少なくとも第１スリーブと第２スリーブを含む外被であって、該スリーブは該インプラントの少なくとも一部を内包する形状である、外被と；
該第１スリーブと該第２スリーブとを連結する形状である骨格と；
を含む、アセンブリ。
【請求項１２】
前記骨格がさらに褶曲部を含み、前記第１スリーブと前記第２スリーブとの間に蝶番を形成する、請求項１１に記載のアセンブリ。
【請求項１３】
前記第１スリーブと前記第２スリーブのうちの一方が前記インプラントに重なる舌部をさらに含む、請求項１１に記載のアセンブリ。
【請求項１４】
前記第１および第２スリーブのうちの少なくとも一方が２種以上の材料の複合体を含む、請求項１１に記載のアセンブリ。
【請求項１５】
インプラントを患者の体内の解剖学的部位へ移送するためのシステムであって、該システムは：
外被であって、該外被は少なくとも第１スリーブと第２スリーブとを含み、該スリーブは該インプラントの少なくとも一部を内包する形状である外被と；
骨格であって、該骨格は該第１スリーブと第２スリーブを結合する骨格と；
を備え、該外被は、該インプラントを該解剖学的部位に設置する際に、該外被が患者の体から引き抜かれ得るように構成されている、システム。
【請求項１６】
前記骨格が褶曲部をさらに有し、前記第１スリーブと前記第２スリーブとの間に蝶番を形成する、請求項１５に記載のシステム。
【請求項１７】
前記骨格が、該骨格を切断し、前記第１スリーブと前記第２スリーブとを分離することにより、該骨格と該スリーブとが患者の体から引き出されことを可能にするように構成されている、請求項１５に記載のシステム。
【請求項１８】
インプラントを患者の体内の解剖学的部位に移送するためのアセンブリであって：
共同作業して該インプラントの少なくとも一部を内包する第１スリーブ部分と第２スリーブ部分とを含む外被と；
該第１スリーブ部分の末端上にあり、該第１スリーブ部分を通って該外被の第１末端に達するタブと；
該タブにアクセスするために該外被の該第１末端に位置するタブアクセスと、
を含む、アセンブリ。
【請求項１９】
前記第２スリーブ部分の末端上にあり、前記第２スリーブ部分を通って前記外被の第２末端に達するタブと；
該タブにアクセスするために該外被の該第２末端に位置するタブアクセスと、
をさらに含む、請求項１８に記載のアセンブリ。
【請求項２０】
前記外被を患者の体内に設置するために、第１スリーブ部分の末端に位置する外部タブを前記外被がさらに含む、請求項１８に記載のアセンブリ。
【請求項２１】
前記外被の設置を助けるために、該外被がその表面上に配置された目視指示マークを含む、請求項１８に記載のアセンブリ。
【請求項２２】
前記第１および第２スリーブ部分のそれぞれが別個のスリーブである、請求項１８に記載のアセンブリ。
【請求項２３】
前記第１および第２スリーブ部分のそれぞれが同じ長さである、請求項２２に記載のアセンブリ。
【請求項２４】
少なくとも前記第１および第２スリーブ部分が重なって、前記インプラントの少なくとも一部を内包する、請求項２２に記載のアセンブリ。
【請求項２５】
前記第１および第２スリーブ部分のそれぞれが少なくとも１個所の蝶番部分を含む、請求項１８に記載のアセンブリ。
【請求項２６】
前記第１スリーブ部分の蝶番部分が前記第２スリーブ部分の蝶番部分に連結して、蝶番を形成する、請求項２５に記載のアセンブリ。
【請求項２７】
前記外被が引裂き可能領域を含む、請求項１８に記載のアセンブリ。
【請求項２８】
前記引裂き可能領域は前記第１スリーブ部分の上にタブを含む、請求項２７に記載のアセンブリ。
【請求項２９】
前記引裂き可能領域が複数の開口部を含む、請求項２７に記載のアセンブリ。
【請求項３０】
前記外被が複数の切込みを含む、請求項１８に記載のアセンブリ。
【請求項３１】
前記外被が引裂き可能な材料で製造される、請求項１８に記載のアセンブリ。
【請求項３２】
前記外被が直線状の分子配向を有する材料で製造される、請求項１８に記載のアセンブリ。
【請求項３３】
インプラントを患者の体内の解剖学的部位へ移送するためのシステムであって：
該インプラントの少なくとも一部を内包する寸法の内腔と、内部タブと、タブアクセスとを含む外被を備え、該内部タブが該外被に接着され、該インプラントを患者の体内に設置するために該タブアクセスにより該内部タブにアクセス可能であり、
該外被が、患者の体内の該解剖学的部位に設置され得るように構成されている、システム。
【請求項３４】
インプラントを患者の体内の解剖学的部位へ移送するためのシステムであって：
インプラントと外被を備え、該外被が少なくとも２個のスリーブを含み、該スリーブが該インプラントの少なくとも一部を内包する形状であり、各スリーブがさらに蝶番部分を有し、一方のスリーブの該蝶番部分が他のスリーブの該蝶番部分と連結し；
該インプラントと外被とが、該インプラントが患者の体内の該解剖学的部位に設置され得るように構成されている、システム。
【請求項３５】
前記外システムが、前記蝶番部分を切断し上記スリーブを分離することにより、該スリーブが患者の体から引き出されることが可能になるように構成されている、請求項３４に記載のシステム。
【請求項３６】
患者の体内の解剖学的部位へインプラントを移送するためのシステムであって：
解剖学的部位に設置されるように構成されたインプラントと；
第１スリーブ部分のタブであって、該タブを引っ張ると、外被の一部が引裂かれて外被が該インプラントから外れるように構成されたタブと；
を備え、該インプラントが、蝶番を備え、該蝶番は、該タブを引っ張った後に該インプラント上の蝶番を膣内で引っ張ると、該外被の全部または一部が膣を通して引き出されるように構成されている、システム。
【請求項３７】
タブアクセスをさらに備え、該タブアクセスは、前記タブを引っ張る前に、前記第１スリーブ部分上の該タブアクセスを経由して、該第１スリーブ部分上の該タブにアクセスし得るように構成されいる、請求項３６に記載のシステム。
【請求項３８】
患者の体内の解剖学的部位にインプラントを移送するためのアセンブリであって：
長さおよび幅を有する吊り具と；
該釣り具の少なくとも一部を内包し、第１および第２側面を有する外被であって、第１側面が吊り具の第１部分に沿って幅を露出する不連続部分を有する外被と、
を含む、アセンブリ。
【請求項３９】
前記不連続部は、前記外被の第１側面の第１および第２部分の間に配置されたギャップを含む、請求項３８に記載のアセンブリ。
【請求項４０】
前記外被は、前記吊り具の第２部分に沿って幅を露出する第２不連続部分を含む、請求項３８に記載のアセンブリ。
【請求項４１】
前記吊り具の長さの中間部分に沿った幅は前記外被で覆われていない、請求項３９に記載のアセンブリ。
【請求項４２】
前記吊り具の長さの中間部分に中子がない、請求項４０に記載のアセンブリ。
【請求項４３】
前記吊り具の長さに沿って中間に位置する第１および第２スリット形開口部を、前記外被の第１側面がさらに含み、該吊り具がスリット形第１開口部を縫って該外被の外へ出、スリット形第２開口部を縫って該外被中へ戻り、該外被のない長さの中間部分の該吊り具のループを形成する、請求項３８に記載のアセンブリ。
【請求項４４】
前記外被のない長さの中間部分の前記吊り具のループに中子がない、請求項４２に記載のアセンブリ。